【手続補正書】
【提出日】令和1年10月4日(2019.10.4)
【手続補正１】
【補正対象書類名】特許請求の範囲
【補正対象項目名】全文
【補正方法】変更
【補正の内容】
【特許請求の範囲】
【請求項１】
無線通信のための装置であって、
ビームフォーミングトレーニングに関連付けられたフレームを生成するように構成された１つまたは複数のプロセッサと、前記フレームは多入力多出力（ＭＩＭＯ）送信方式を使用して前記ビームフォーミングトレーニングが実行されるべきかどうかのインジケーションを備え、前記フレームはビーム微調整リクエストフィールドを備え、前記ビーム微調整リクエストフィールドは１つまたは複数のビットを備え、前記１つまたは複数のビットは前記ＭＩＭＯ送信方式を使用して前記ビームフォーミングトレーニングが実行されるべきかどうかの前記インジケーションを提供し、前記ビーム微調整リクエストフィールドは前記ＭＩＭＯ送信方式が単一ユーザ（ＳＵ）であるかまたはマルチユーザ（ＭＵ）であるかのインジケーションを提供する１つまたは複数の他のビットを備え、
送信のために前記フレームを出力するように構成された第１のインターフェースと、
前記ビームフォーミングトレーニングのマルチプルセクタ識別子（ＭＩＤ）フェーズを実行するために使用される少なくとも１つの第１のセクタのインジケーションを取得するように構成された第２のインターフェースと、前記１つまたは複数のプロセッサは、少なくとも１つの第２のセクタを使用して、および前記ＭＩＭＯ送信方式を使用して前記ビームフォーミングトレーニングが実行されるべきかどうかの前記インジケーションに従って、前記ビームフォーミングトレーニングの前記ＭＩＤフェーズを実行するように構成され、前記第１のインターフェースは、前記ビームフォーミングトレーニングの前記ＭＩＤフェーズ中にフィードバックリクエストを送信のために出力するように構成され、
前記少なくとも１つの第１のセクタのうちのいくつかのセクタは、前記少なくとも１つの第２のセクタのうちのいくつかのセクタと異なる、または、
前記少なくとも１つの第２のセクタは、前記少なくとも１つの第１のセクタ内に無い１つまたは複数のセクタを備える、
を備える、装置。
【請求項２】
前記１つまたは複数のビットはまた、前記ＭＩＭＯ送信方式に使用されるストリームの数を示す、請求項１に記載の装置。
【請求項３】
前記第２のインターフェースは、前記１つまたは複数の他のビットが前記ＭＩＭＯ送信方式はＭＵであると示す場合、前記フィードバックリクエストに応答して前記フレームに関連付けられたフィードバックを取得するように構成される、請求項１に記載の装置。
【請求項４】
前記フレームは、前記フレームに応答して前記装置によって予期されるフィードバックのタイプを示すフィードバックタイプフィールドを備え、
前記フィードバックタイプフィールドは、前記ビームフォーミングトレーニングのための前記装置による使用のための残りのセクタの数を示すように構成されたカウンタを備える、請求項１に記載の装置。
【請求項５】
前記フレームは、前記ＭＩＭＯ送信方式に関連付けられた無線周波数（ＲＦ）チェーンのインジケーションをさらに備える、請求項１に記載の装置。
【請求項６】
前記フレームは、前記ＲＦチェーンの前記インジケーションを含むビーム微調整プロトコル（ＢＲＰ）フィールドを備える、請求項５に記載の装置。
【請求項７】
前記１つまたは複数のプロセッサは、前記ビームフォーミングトレーニング中に、フレーム間のショートビームフォーミングインターフレームスペース（ＳＢＩＦＳ）に従った送信のために、複数のフレームを生成するように構成され、フレーム間の前記ＳＢＩＦＳは、前記ビームフォーミングトレーニングの前記ＭＩＤフェーズ中に使用される、請求項１に記載の装置。
【請求項８】
前記フレームは、ＭＩＤリクエストの受信から独立して生成されるＭＩＤ許可フィールドを備える、請求項１に記載の装置。
【請求項９】
前記１つまたは複数のビットの第１の値は、前記ビームフォーミングトレーニングが前記ＭＩＭＯ送信方式を使用せずに実行されるべきであることを示し、
前記１つまたは複数のビットの第２の値は、前記ビームフォーミングトレーニングが前記ＭＩＭＯ送信方式を使用して実行されるべきであることを示す、
請求項１に記載の装置。
【請求項１０】
前記１つまたは複数のビットの前記第２の値はまた、前記ＭＩＭＯ送信方式に使用されるストリームの数を示す、請求項９に記載の装置。
【請求項１１】
無線通信のための装置であって、
ビームフォーミングトレーニングに関連付けられたフレームを取得するように構成された第１のインターフェースと、前記フレームは多入力多出力（ＭＩＭＯ）送信方式を使用して前記ビームフォーミングトレーニングが実行されるべきかどうかのインジケーションを備え、前記フレームはビーム微調整リクエストフィールドを備え、前記ビーム微調整リクエストフィールドは１つまたは複数のビットを備え、前記１つまたは複数のビットは前記ＭＩＭＯ送信方式を使用して前記ビームフォーミングトレーニングが実行されるべきかどうかの前記インジケーションを提供し、前記ビーム微調整リクエストフィールドは前記ＭＩＭＯ送信方式が単一ユーザ（ＳＵ）であるかまたはマルチユーザ（ＭＵ）であるかのインジケーションを提供する１つまたは複数の他のビットを備え、
前記ビームフォーミングトレーニングのマルチプルセクタ識別子（ＭＩＤ）フェーズを実行するために使用される少なくとも１つの第１のセクタのインジケーションを出力するように構成された第２のインターフェースと、
前記ＭＩＭＯ送信方式を使用して前記ビームフォーミングトレーニングが実行されるべきかどうかの前記インジケーションに基づいて、少なくとも１つの第２のセクタを使用して前記ビームフォーミングトレーニングの前記ＭＩＤフェーズを実行するように構成される１つまたは複数のプロセッサと、前記１つまたは複数のプロセッサは、前記ＭＩＭＯ送信方式がＳＵであるかまたはＭＵであるかの前記インジケーションに基づいて前記ビームフォーミングトレーニングを実行するようにさらに構成され、前記第１のインターフェースは、前記ビームフォーミングトレーニングの前記ＭＩＤフェーズ中にフィードバックリクエストを取得するように構成され、
前記少なくとも１つの第１のセクタのうちのいくつかのセクタは、前記少なくとも１つの第２のセクタのうちのいくつかのセクタと異なる、または、
前記少なくとも１つの第２のセクタは、前記少なくとも１つの第１のセクタ内に無い１つまたは複数のセクタを備える、
を備える、装置。
【請求項１２】
前記１つまたは複数のビットはまた、前記ＭＩＭＯ送信方式に使用されるストリームの数を示し、
前記１つまたは複数のプロセッサは、前記示されたストリームの数に基づいて前記ビームフォーミングトレーニングを実行するように構成される、請求項１１に記載の装置。
【請求項１３】
前記第２のインターフェースは、前記１つまたは複数の他のビットが前記ＭＩＭＯ送信方式はＭＵであると示す場合、前記フィードバックリクエストに応答して前記フレームに関連付けられたフィードバックを出力するように構成される、請求項１１に記載の装置。
【請求項１４】
前記第２のインターフェースは、前記１つまたは複数の他のビットが前記ＭＩＭＯ送信方式はＭＵであると示す場合、時間期間後に前記フレームに関連付けられたフィードバックを出力するように構成され、前記時間期間は、ＭＵ送信シーケンスに基づいて決定される、請求項１１に記載の装置。
【請求項１５】
前記フレームは、前記フレームに応答して送られるフィードバックのタイプを示すフィードバックタイプフィールドを備え、
前記フィードバックタイプフィールドは、前記ビームフォーミングトレーニングのための前記装置による使用のための残りのセクタの数を示すように構成されたカウンタを備える、請求項１１に記載の装置。
【請求項１６】
前記フレームは、前記ＭＩＭＯ送信方式に関連付けられた無線周波数（ＲＦ）チェーンのインジケーションをさらに備え、
前記１つまたは複数のプロセッサは、前記ＭＩＭＯ送信方式に関連付けられた前記ＲＦチェーンの前記インジケーションに基づいてビームフォーミングトレーニングを実行するように構成される、請求項１１に記載の装置。
【請求項１７】
前記第１のインターフェースは、前記ビームフォーミングトレーニング中に、フレーム間のショートビームフォーミングインターフレームスペース（ＳＢＩＦＳ）に従って、複数のフレームを取得するように構成され、フレーム間の前記ＳＢＩＦＳは、前記ビームフォーミングトレーニングの前記ＭＩＤフェーズ中に使用される、請求項１１に記載の装置。
【請求項１８】
前記フレームは、ＭＩＤリクエストの受信から独立して生成されるＭＩＤ許可フィールドを備える、請求項１１に記載の装置。
【請求項１９】
少なくとも１つのアンテナをさらに備え、前記第１のインターフェースは、前記少なくとも１つのアンテナを介して前記フレームを取得するように構成され、前記装置は、ワイヤレスノードとして構成される、請求項１１に記載の装置。
【請求項２０】
ワイヤレスノードであって、
少なくとも１つのアンテナと、
１つまたは複数のプロセッサと、前記１つまたは複数のプロセッサは、
ビームフォーミングトレーニングに関連付けられたフレームを生成するように構成され、前記フレームは多入力多出力（ＭＩＭＯ）送信方式を使用して前記ビームフォーミングトレーニングが実行されるべきかどうかのインジケーションを備え、前記フレームはビーム微調整リクエストフィールドを備え、前記ビーム微調整リクエストフィールドは１つまたは複数のビットを備え、前記１つまたは複数のビットは前記ＭＩＭＯ送信方式を使用して前記ビームフォーミングトレーニングが実行されるべきかどうかの前記インジケーションを提供し、前記ビーム微調整リクエストフィールドは前記ＭＩＭＯ送信方式が単一ユーザ（ＳＵ）であるかまたはマルチユーザ（ＭＵ）であるかのインジケーションを提供する１つまたは複数の他のビットを備え、
前記少なくとも１つのアンテナを介した送信のために前記フレームを出力するように構成された第１のインターフェースと、
前記ビームフォーミングトレーニングのマルチプルセクタ識別子（ＭＩＤ）フェーズを実行するために使用される少なくとも１つの第１のセクタのインジケーションを、前記少なくとも１つのアンテナを介して取得するように構成された第２のインターフェースと、前記１つまたは複数のプロセッサは、少なくとも１つの第２のセクタを使用して、および前記ＭＩＭＯ送信方式を使用して前記ビームフォーミングトレーニングが実行されるべきかどうかの前記インジケーションに従って、前記ビームフォーミングトレーニングの前記ＭＩＤフェーズを実行するように構成され、前記第１のインターフェースは、前記ビームフォーミングトレーニングの前記ＭＩＤフェーズ中にフィードバックリクエストを送信のために出力するように構成され、
前記少なくとも１つの第１のセクタのうちのいくつかのセクタは、前記少なくとも１つの第２のセクタのうちのいくつかのセクタと異なる、または、
前記少なくとも１つの第２のセクタは、前記少なくとも１つの第１のセクタ内に無い１つまたは複数のセクタを備える、
を備える、ワイヤレスノード。
【手続補正２】
【補正対象書類名】明細書
【補正対象項目名】０１２８
【補正方法】変更
【補正の内容】
【０１２８】
[0150]特許請求の範囲は、上記に例示された厳密な構成およびコンポーネントに限定されないことが理解されるべきである。様々な修正、変更、および変形が、特許請求の範囲から逸脱することなく、上記に説明された方法および装置の配置、動作および詳細において行われ得る。
以下に本願の出願当初の特許請求の範囲に記載された発明を付記する。
[Ｃ１]  無線通信のための装置であって、
ビームフォーミングトレーニングに関連付けられたフレームを生成するように構成された処理システムと、前記フレームは多入力多出力（ＭＩＭＯ）送信方式を使用して前記ビームフォーミングトレーニングが実行されるべきかどうかのインジケーションを備え、  送信のために前記フレームを出力するように構成された第１のインターフェースと、  を備える、装置。
[Ｃ２]  前記フレームは、１つまたは複数のビットを備えるフィールドを備え、前記１つまたは複数のビットは、前記ＭＩＭＯ送信方式を使用して前記ビームフォーミングトレーニングが実行されるべきどうかの前記インジケーションを提供する、Ｃ１に記載の装置。
[Ｃ３]  前記フィールドは、ビーム微調整リクエストフィールドを備える、Ｃ２に記載の装置。
[Ｃ４]  前記１つまたは複数のビットはまた、前記ＭＩＭＯ送信方式に使用されるストリームの数を示す、Ｃ２に記載の装置。
[Ｃ５]  前記フィールドは、前記ＭＩＭＯ送信方式が単一ユーザ（ＳＵ）かマルチユーザ（ＭＵ）かどうかのインジケーションを提供する１つまたは複数の他のビットを備える、Ｃ２に記載の装置。
[Ｃ６]  前記第１のインターフェースは、フィードバックリクエストを送信のために出力するように構成され、
前記装置は、前記１つまたは複数の他のビットが前記ＭＩＭＯ送信方式はＭＵであると示す場合、前記フィードバックリクエストに応答して前記フレームに関連付けられたフィードバックを取得するように構成された第２のインターフェースをさらに備える、Ｃ５に記載の装置。
[Ｃ７]  前記第１のインターフェースは、前記ビームフォーミングトレーニングのマルチプルセクタＩＤ（ＭＩＤ）フェーズ中に前記フィードバックリクエストを送信のために出力するように構成される、Ｃ６に記載の装置。
[Ｃ８]  前記フレームは、前記ビームフォーミングトレーニングのための前記装置による使用のための残りのセクタの数を示すように構成されたカウンタを備える、Ｃ１に記載の装置。
[Ｃ９]  前記フレームは、前記フレームに応答して前記装置によって予期されるフィードバックのタイプを示すフィードバックタイプフィールドを備え、
前記カウンタは、前記フィードバックタイプフィールドに含まれる、Ｃ８に記載の装置。
[Ｃ１０]  前記フレームは、前記ＭＩＭＯ送信方式に関連付けられた無線周波数（ＲＦ）チェーンのインジケーションをさらに備える、Ｃ１に記載の装置。
[Ｃ１１]  前記フレームは、前記ＲＦチェーンの前記インジケーションを含むビーム微調整プロトコル（ＢＲＰ）フィールドを備える、Ｃ１０に記載の装置。
[Ｃ１２]  前記処理システムは、前記ビームフォーミングトレーニング中に、フレーム間のショートビームフォーミングインターフレームスペース（ＳＢＩＦＳ）にしたがって送信のために複数のフレームを生成するように構成される、Ｃ１に記載の装置。
[Ｃ１３]  フレーム間の前記ＳＢＩＦＳは、前記ビームフォーミングトレーニングのマルチプルセクタＩＤ（ＭＩＤ）フェーズ中に使用される、Ｃ１２に記載の装置。
[Ｃ１４]  前記フレームは、ＭＩＤリクエストの受信から独立して生成されるマルチプルセクタＩＤ（ＭＩＤ）許可フィールドを備える、Ｃ１に記載の装置。
[Ｃ１５]  前記ビームフォーミングトレーニングのＭＩＤフェーズ中に使用される少なくとも１つの第１のセクタのインジケーションを取得するように構成された第２のインターフェースをさらに備え、前記処理システムは、少なくとも１つの第２のセクタを使用して前記ビームフォーミングトレーニングの前記ＭＩＤフェーズを実行するように構成され、
前記少なくとも１つの第１のセクタのうちのいくつかのセクタは、前記少なくとも１つの第２のセクタのうちのいくつかのセクタと異なる、または、
前記少なくとも１つの第２のセクタは、前記少なくとも１つの第１のセクタ内にない１つまたは複数のセクタを備える、Ｃ１に記載の装置。
[Ｃ１６]  ワイヤレス通信のための装置であって、
ビームフォーミングトレーニングのマルチプルセクタＩＤキャプチャ（ＭＩＤＣ）フェーズ、前記ビームフォーミングトレーニングのマルチプルセクタＩＤ（ＭＩＤ）フェーズ、前記ビームフォーミングトレーニングのＭＩＤおよびビーム結合（ＢＣ）フェーズ、または前記ビームフォーミングトレーニングのＢＣフェーズのうちの少なくとも１つの間に、送信のためにセクタスイープ（ＳＳＷ）フレームを生成するように構成された処理システムと、
前記ＳＳＷフレームを送信のために出力するように構成されたインターフェースと、  を備える、装置。
[Ｃ１７]  前記ＳＳＷフレームは、少なくとも１つのトレーニング（ＴＲＮ）フィールドを備える、Ｃ１６に記載の装置。
[Ｃ１８]  前記処理システムは、前記ビームフォーミングトレーニングに関連付けられたフレームを生成するようにさらに構成され、前記フレームは多入力多出力（ＭＩＭＯ）送信方式を使用して前記ビームフォーミングトレーニングが実行されるべきかどうかのインジケーションを備え、
前記第１のインターフェースは、送信のために前記フレームを出力するようにさらに構成される、Ｃ１６に記載の装置。
[Ｃ１９]  前記フレームは、１つまたは複数のビットを備えるフィールドを備え、前記１つまたは複数のビットは、前記ＭＩＭＯ送信方式を使用して前記ビームフォーミングトレーニングが実行されるべきどうかの前記インジケーションを提供する、Ｃ１８に記載の装置。
[Ｃ２０]  前記フィールドは、ビーム微調整リクエストフィールドを備える、Ｃ１９に記載の装置。
[Ｃ２１]  前記１つまたは複数のビットはまた、前記ＭＩＭＯ送信方式に使用されるストリームの数を示す、Ｃ１９に記載の装置。
[Ｃ２２]  前記フィールドは、前記ＭＩＭＯ送信方式が単一ユーザ（ＳＵ）かマルチユーザ（ＭＵ）かどうかのインジケーションを提供する１つまたは複数の他のビットを備える、Ｃ１９に記載の装置。
[Ｃ２３]  無線通信のための装置であって、
ビームフォーミングトレーニングに関連付けられたフレームを生成するように構成された処理システムと、前記フレームは、少なくとも１つのセクタスイープ（ＳＳＷ）フィールドを備え、前記ＳＳＷフィールドは、前記ビームフォーミングトレーニング中に使用されるＭＩＭＯ送信方式に関連付けられたＲＦチェーンのインジケーションを備える、
送信のために前記フレームを出力するように構成されたインターフェースと、  を備える、装置。
[Ｃ２４]  前記処理システムは、前記ビームフォーミングトレーニングに関連付けられた別のフレームを生成するようにさらに構成され、前記別のフレームは多入力多出力（ＭＩＭＯ）送信方式を使用して前記ビームフォーミングトレーニングが実行されるべきかどうかのインジケーションを備え、
前記第１のインターフェースは、送信のために前記別のフレームを出力するようにさらに構成される、Ｃ２３に記載の装置。
[Ｃ２５]  前記別のフレームは、１つまたは複数のビットを備えるフィールドを備え、前記１つまたは複数のビットは、前記ＭＩＭＯ送信方式を使用して前記ビームフォーミングトレーニングが実行されるべきかどうかの前記インジケーションを提供する、Ｃ２４に記載の装置。
[Ｃ２６]  前記フィールドは、ビーム微調整リクエストフィールドを備える、Ｃ２５に記載の装置。
[Ｃ２７]  前記１つまたは複数のビットはまた、前記ＭＩＭＯ送信方式に使用されるストリームの数を示す、Ｃ２５に記載の装置。
[Ｃ２８]  前記フィールドは、前記ＭＩＭＯ送信方式が単一ユーザ（ＳＵ）かマルチユーザ（ＭＵ）かどうかのインジケーションを提供する１つまたは複数の他のビットを備える、Ｃ２５に記載の装置。
[Ｃ２９]  無線通信のための装置であって、
ビームフォーミングトレーニングに関連付けられたフレームを取得するように構成された第１のインターフェースと、前記フレームは多入力多出力（ＭＩＭＯ）送信方式を使用して前記ビームフォーミングトレーニングが実行されるべきかどうかのインジケーションを備え、
前記ＭＩＭＯ送信方式を使用して前記ビームフォーミングトレーニングが実行されるべきかどうかの前記インジケーションに基づいて前記ビームフォーミングトレーニングを実行するように構成された処理システムと、
を備える、装置。
[Ｃ３０]  前記フレームは、１つまたは複数のビットを備えるフィールドを備え、前記１つまたは複数のビットは、前記ＭＩＭＯ送信方式を使用して前記ビームフォーミングトレーニングが実行されるべきどうかの前記インジケーションを提供する、Ｃ２９に記載の装置。
[Ｃ３１]  前記１つまたは複数のビットはまた、前記ＭＩＭＯ送信方式に使用されるストリームの数を示し、
前記処理システムは、前記示されたストリームの数に基づいて前記ビームフォーミングトレーニングを実行するように構成される、Ｃ３０に記載の装置。
[Ｃ３２]  前記フィールドは、前記ＭＩＭＯ送信方式が単一ユーザ（ＳＵ）かマルチユーザ（ＭＵ）かどうかのインジケーションを提供する１つまたは複数の他のビットを備え、
前記処理システムは、前記ＭＩＭＯ送信方式がＳＵかＭＵかどうかの前記インジケーションに基づいて前記ビームフォーミングトレーニングを実行するようにさらに構成される、Ｃ３０に記載の装置。
[Ｃ３３]  前記第１のインターフェースは、フィードバックリクエストを出力するように構成され、
前記装置は、前記１つまたは複数の他のビットが前記ＭＩＭＯ送信方式はＭＵであると示す場合、前記フィードバックリクエストに応答して前記フレームに関連付けられたフィードバックを出力するように構成された第２のインターフェースをさらに備える、Ｃ３２に記載の装置。
[Ｃ３４]  前記第１のインターフェースは、前記ビームフォーミングトレーニングのマルチプルセクタＩＤ（ＭＩＤ）フェーズ中に前記フィードバックリクエストを取得するように構成される、Ｃ３３に記載の装置。
[Ｃ３５]  前記１つまたは複数の他のビットが前記ＭＩＭＯ送信方式はＭＵであると示す場合、時間期間後に前記フレームに関連付けられたフィードバックを出力するように構成された第２のインターフェースをさらに備え、前記時間期間は、ＭＵ送信シーケンスに基づいて決定される、Ｃ３２に記載の装置。
[Ｃ３６]  前記フレームは、前記ビームフォーミングトレーニングのための前記装置による使用のための残りのセクタの数を示すように構成されたカウンタを備える、Ｃ２９に記載の装置。
[Ｃ３７]  前記フレームは、前記フレームに応答して送られるフィードバックのタイプを示すフィードバックタイプフィールドを備え、
前記カウンタは、前記フィードバックタイプフィールドに含まれる、Ｃ３６に記載の装置。
[Ｃ３８]  前記フレームは、前記ＭＩＭＯ送信方式に関連付けられた無線周波数（ＲＦ）チェーンのインジケーションをさらに備え、
前記処理システムは、前記ＭＩＭＯ送信方式に関連付けられた前記ＲＦチェーンの前記インジケーションに基づいてビームフォーミングトレーニングを実行するように構成される、Ｃ２９に記載の装置。
[Ｃ３９]  前記フレームは、前記ＲＦチェーンの前記インジケーションを含むビーム微調整プロトコル（ＢＲＰ）フィールドを備える、Ｃ３８に記載の装置。
[Ｃ４０]  前記第１のインターフェースは、前記ビームフォーミングトレーニング中に、フレーム間のショートビームフォーミングインターフレームスペース（ＳＢＩＦＳ）にしたがって、複数のフレームを取得するように構成される、Ｃ２９に記載の装置。
[Ｃ４１]  フレーム間の前記ＳＢＩＦＳは、前記ビームフォーミングトレーニングのマルチプルセクタＩＤ（ＭＩＤ）フェーズ中に使用される、Ｃ４０に記載の装置。
[Ｃ４２]  前記フレームは、ＭＩＤリクエストの受信から独立して生成されるマルチプルセクタＩＤ（ＭＩＤ）許可フィールドを備える、Ｃ２９に記載の装置。
[Ｃ４３]  前記ビームフォーミングトレーニングのＭＩＤフェーズ中に使用される少なくとも１つの第１のセクタのインジケーションを出力するように構成された第２のインターフェースをさらに備え、
前記処理システムは、少なくとも１つの第２のセクタを使用して前記ビームフォーミングトレーニングの前記ＭＩＤフェーズを実行するように構成され、
前記少なくとも１つの第１のセクタのうちのいくつかのセクタは、前記少なくとも１つの第２のセクタのうちのいくつかのセクタと異なる、または、
前記少なくとも１つの第２のセクタは、前記少なくとも１つの第１のセクタ内にない１つまたは複数のセクタを備える、Ｃ２９に記載の装置。
[Ｃ４４]  無線通信のための装置であって、
ビームフォーミングトレーニングのマルチプルセクタＩＤキャプチャ（ＭＩＤＣ）フェーズ、前記ビームフォーミングトレーニングのマルチプルセクタＩＤ（ＭＩＤ）フェーズ、前記ビームフォーミングトレーニングのＭＩＤおよびビーム結合（ＢＣ）フェーズ、または前記ビームフォーミングトレーニングのＢＣフェーズのうちの少なくとも１つの間に、セクタスイープ（ＳＳＷ）フレームを取得するように構成されたインターフェースと、  前記ＳＳＷフレームを使用して前記ビームフォーミングトレーニングを実行するように構成された処理システムと、
を備える、装置。
[Ｃ４５]  前記ＳＳＷフレームは、少なくとも１つのトレーニング（ＴＲＮ）フィールドを備える、Ｃ４４に記載の装置。
[Ｃ４６]  前記第１のインターフェースは、前記ビームフォーミングトレーニングに関連付けられたフレームを取得するようにさらに構成され、前記フレームは多入力多出力（ＭＩＭＯ）送信方式を使用して前記ビームフォーミングトレーニングが実行されるべきかどうかのインジケーションを備え、
前記処理システムは、前記ＭＩＭＯ送信方式を使用して前記ビームフォーミングトレーニングが実行されるべきかどうかの前記インジケーションに基づいて前記ビームフォーミングトレーニングを実行するように構成される、Ｃ４４に記載の装置。
[Ｃ４７]  前記フレームは、１つまたは複数のビットを備えるフィールドを備え、前記１つまたは複数のビットは、前記ＭＩＭＯ送信方式を使用して前記ビームフォーミングトレーニングが実行されるべきどうかの前記インジケーションを提供する、Ｃ４６に記載の装置。
[Ｃ４８]  前記フィールドは、ビーム微調整リクエストフィールドを備える、Ｃ４７に記載の装置。
[Ｃ４９]  前記１つまたは複数のビットはまた、前記ＭＩＭＯ送信方式に使用されるストリームの数を示し、
前記処理システムは、前記示されたストリームの数に基づいて前記ビームフォーミングトレーニングを実行するように構成される、Ｃ４７に記載の装置。
[Ｃ５０]  前記フィールドは、前記ＭＩＭＯ送信方式が単一ユーザ（ＳＵ）かマルチユーザ（ＭＵ）かどうかのインジケーションを提供する１つまたは複数の他のビットを備え、
前記処理システムは、前記ＭＩＭＯ送信方式が単一ユーザ（ＳＵ）かマルチユーザ（ＭＵ）かどうかの前記インジケーションに基づいて前記ビームフォーミングトレーニングを実行するようにさらに構成される、Ｃ４７に記載の装置。
[Ｃ５１]  無線通信のための装置であって、
ビームフォーミングトレーニングに関連付けられたフレームを取得するように構成されたインターフェースと、前記フレームは、少なくとも１つのセクタスイープ（ＳＳＷ）フィールドを備え、前記ＳＳＷフィールドは、前記ビームフォーミングトレーニング中に使用されるＭＩＭＯ送信方式に関連付けられたＲＦチェーンのインジケーションを備える、  前記ＭＩＭＯ送信方式に関連付けられた前記ＲＦチェーンの前記インジケーションに基づいて前記ビームフォーミングトレーニングを実行するように構成された処理システムと、
を備える、装置。
[Ｃ５２]  前記第１のインターフェースは、前記ビームフォーミングトレーニングに関連付けられた別のフレームを取得するようにさらに構成され、前記別のフレームは多入力多出力（ＭＩＭＯ）送信方式を使用して前記ビームフォーミングトレーニングが実行されるべきかどうかのインジケーションを備え、
前記処理システムは、前記ＭＩＭＯ送信方式を使用して前記ビームフォーミングトレーニングが実行されるべきかどうかの前記インジケーションに基づいて前記ビームフォーミングトレーニングを実行するように構成される、Ｃ５１に記載の装置。
[Ｃ５３]  前記別のフレームは、１つまたは複数のビットを備えるフィールドを備え、前記１つまたは複数のビットは、前記ＭＩＭＯ送信方式を使用して前記ビームフォーミングトレーニングが実行されるべきかどうかの前記インジケーションを提供する、Ｃ５２に記載の装置。
[Ｃ５４]  前記フィールドは、ビーム微調整リクエストフィールドを備える、Ｃ５３に記載の装置。
[Ｃ５５]  前記１つまたは複数のビットはまた、前記ＭＩＭＯ送信方式に使用されるストリームの数を示し、
前記処理システムは、前記示されたストリームの数に基づいて前記ビームフォーミングトレーニングを実行するように構成される、Ｃ５３に記載の装置。
[Ｃ５６]  前記フィールドは、前記ＭＩＭＯ送信方式が単一ユーザ（ＳＵ）かマルチユーザ（ＭＵ）かどうかのインジケーションを提供する１つまたは複数の他のビットを備え、
前記処理システムは、前記ＭＩＭＯ送信方式が単一ユーザ（ＳＵ）かマルチユーザ（ＭＵ）かどうかの前記インジケーションに基づいて前記ビームフォーミングトレーニングを実行するようにさらに構成される、Ｃ５３に記載の装置。
[Ｃ５７]  ワイヤレス通信のための方法であって、
ビームフォーミングトレーニングに関連付けられたフレームを生成することと、前記フレームは多入力多出力（ＭＩＭＯ）送信方式を使用して前記ビームフォーミングトレーニングが実行されるべきかどうかのインジケーションを備え、
送信のために前記フレームを出力することと、
を備える、方法。
[Ｃ５８]  前記フレームは、１つまたは複数のビットを備えるフィールドを備え、前記１つまたは複数のビットは、前記ＭＩＭＯ送信方式を使用して前記ビームフォーミングトレーニングが実行されるべきかどうかの前記インジケーションを提供する、Ｃ５７に記載の方法。
[Ｃ５９]  前記フィールドは、ビーム微調整リクエストフィールドを備える、Ｃ５８に記載の方法。
[Ｃ６０]  前記１つまたは複数のビットはまた、前記ＭＩＭＯ送信方式に使用されるストリームの数を示す、Ｃ５８に記載の方法。
[Ｃ６１]  前記フィールドは、前記ＭＩＭＯ送信方式が単一ユーザ（ＳＵ）かマルチユーザ（ＭＵ）かどうかのインジケーションを提供する１つまたは複数の他のビットを備える、Ｃ５８に記載の方法。
[Ｃ６２]  フィードバックリクエストを送信のために出力することと、
前記１つまたは複数の他のビットが前記ＭＩＭＯ送信方式はＭＵであると示す場合、前記フィードバックリクエストに応答して前記フレームに関連付けられたフィードバックを取得することと、
をさらに備える、Ｃ６１に記載の方法。
[Ｃ６３]  前記フィードバックリクエストを送信のために出力することは、前記ビームフォーミングトレーニングのマルチプルセクタＩＤ（ＭＩＤ）フェーズ中に実行される、Ｃ６２に記載の方法。
[Ｃ６４]  前記フレームは、前記ビームフォーミングトレーニングのための残りのセクタの数を示すように構成されたカウンタを備える、Ｃ５７に記載の方法。
[Ｃ６５]  前記フレームは、前記フレームに応答して予期されるフィードバックのタイプを示すフィードバックタイプフィールドを備え、
前記カウンタは、前記フィードバックタイプフィールドに含まれる、Ｃ６４に記載の方法。
[Ｃ６６]  前記フレームは、前記ＭＩＭＯ送信方式に関連付けられた無線周波数（ＲＦ）チェーンのインジケーションをさらに備える、Ｃ５７に記載の方法。
[Ｃ６７]  前記フレームは、前記ＲＦチェーンの前記インジケーションを含むビーム微調整プロトコル（ＢＲＰ）フィールドを備える、Ｃ６６に記載の方法。
[Ｃ６８]  前記ビームフォーミングトレーニング中に、フレーム間のショートビームフォーミングインターフレームスペース（ＳＢＩＦＳ）にしたがって送信のために複数のフレームを生成することをさらに備える、Ｃ５７に記載の方法。
[Ｃ６９]  フレーム間の前記ＳＢＩＦＳは、前記ビームフォーミングトレーニングのマルチプルセクタＩＤ（ＭＩＤ）フェーズ中に使用される、Ｃ６８に記載の方法。
[Ｃ７０]  前記フレームは、ＭＩＤリクエストの受信から独立して生成されるマルチプルセクタＩＤ（ＭＩＤ）許可フィールドを備える、Ｃ５７に記載の方法。
[Ｃ７１]  前記ビームフォーミングトレーニングのＭＩＤフェーズ中に使用される少なくとも１つの第１のセクタのインジケーションを取得することと、
少なくとも１つの第２のセクタを使用して前記ビームフォーミングトレーニングの前記ＭＩＤフェーズを実行することと、をさらに備え、
前記少なくとも１つの第１のセクタのうちのいくつかのセクタは、前記少なくとも１つの第２のセクタのうちのいくつかのセクタと異なる、または、
前記少なくとも１つの第２のセクタは、前記少なくとも１つの第１のセクタ内にない１つまたは複数のセクタを備える、Ｃ５７に記載の方法。
[Ｃ７２]  ワイヤレス通信のための方法であって、
ビームフォーミングトレーニングのマルチプルセクタＩＤキャプチャ（ＭＩＤＣ）フェーズ、前記ビームフォーミングトレーニングのマルチプルセクタＩＤ（ＭＩＤ）フェーズ、前記ビームフォーミングトレーニングのＭＩＤおよびビーム結合（ＢＣ）フェーズ、または前記ビームフォーミングトレーニングのＢＣフェーズのうちの少なくとも１つの間に、送信のためにセクタスイープ（ＳＳＷ）フレームを生成することと、
送信のために前記ＳＳＷフレームを出力することと、
を備える、方法。
[Ｃ７３]  前記ＳＳＷフレームは、少なくとも１つのトレーニング（ＴＲＮ）フィールドを備える、Ｃ７２に記載の方法。
[Ｃ７４]  前記ビームフォーミングトレーニングに関連付けられたフレームを生成することと、前記フレームは多入力多出力（ＭＩＭＯ）送信方式を使用して前記ビームフォーミングトレーニングが実行されるべきかどうかのインジケーションを備え、
送信のために前記フレームを出力することと、
をさらに備える、Ｃ７２に記載の方法。
[Ｃ７５]  前記フレームは、１つまたは複数のビットを備えるフィールドを備え、前記１つまたは複数のビットは、前記ＭＩＭＯ送信方式を使用して前記ビームフォーミングトレーニングが実行されるべきかどうかの前記インジケーションを提供する、Ｃ７４に記載の方法。
[Ｃ７６]  前記フィールドは、ビーム微調整リクエストフィールドを備える、Ｃ７５に記載の方法。
[Ｃ７７]  前記１つまたは複数のビットはまた、前記ＭＩＭＯ送信方式に使用されるストリームの数を示す、Ｃ７５に記載の方法。
[Ｃ７８]  前記フィールドは、前記ＭＩＭＯ送信方式が単一ユーザ（ＳＵ）かマルチユーザ（ＭＵ）かどうかのインジケーションを提供する１つまたは複数の他のビットを備える、Ｃ７５に記載の方法。
[Ｃ７９]  ワイヤレス通信のための方法であって、
ビームフォーミングトレーニングに関連付けられたフレームを生成することと、前記フレームは、少なくとも１つのセクタスイープ（ＳＳＷ）フィールドを備え、前記ＳＳＷフィールドは、前記ビームフォーミングトレーニング中に使用されるＭＩＭＯ送信方式に関連付けられたＲＦチェーンのインジケーションを備え、
送信のために前記フレームを出力することと、
を備える、方法。
[Ｃ８０]  前記ビームフォーミングトレーニングに関連付けられた別のフレームを生成することと、前記別のフレームは多入力多出力（ＭＩＭＯ）送信方式を使用して前記ビームフォーミングトレーニングが実行されるべきかどうかのインジケーションを備える、
送信のために前記別のフレームを出力することと、Ｃ７９に記載の方法。
[Ｃ８１]  前記別のフレームは、１つまたは複数のビットを備えるフィールドを備え、前記１つまたは複数のビットは、前記ＭＩＭＯ送信方式を使用して前記ビームフォーミングトレーニングが実行されるべきかどうかの前記インジケーションを提供する、Ｃ８０に記載の方法。
[Ｃ８２]  前記フィールドは、ビーム微調整リクエストフィールドを備える、Ｃ８１に記載の方法。
[Ｃ８３]  前記１つまたは複数のビットはまた、前記ＭＩＭＯ送信方式に使用されるストリームの数を示す、Ｃ８１に記載の方法。
[Ｃ８４]  前記フィールドは、前記ＭＩＭＯ送信方式が単一ユーザ（ＳＵ）かマルチユーザ（ＭＵ）かどうかのインジケーションを提供する１つまたは複数の他のビットを備える、Ｃ８１に記載の方法。
[Ｃ８５]  ワイヤレス通信のための方法であって、
ビームフォーミングトレーニングに関連付けられたフレームを取得することと、前記フレームは多入力多出力（ＭＩＭＯ）送信方式を使用して前記ビームフォーミングトレーニングが実行されるべきかどうかのインジケーションを備え、
前記ＭＩＭＯ送信方式を使用して前記ビームフォーミングトレーニングが実行されるべきかどうかの前記インジケーションに基づいて前記ビームフォーミングトレーニングを実行することと、
を備える、方法。
[Ｃ８６]  前記フレームは、１つまたは複数のビットを備えるフィールドを備え、前記１つまたは複数のビットは、前記ＭＩＭＯ送信方式を使用して前記ビームフォーミングトレーニングが実行されるべきかどうかの前記インジケーションを提供する、Ｃ８５に記載の方法。
[Ｃ８７]  前記１つまたは複数のビットはまた、前記ＭＩＭＯ送信方式に使用されるストリームの数を示し、前記方法は、前記示されたストリームの数に基づいて前記ビームフォーミングトレーニングを実行することをさらに備える、Ｃ８６に記載の方法。
[Ｃ８８]  前記フィールドは、前記ＭＩＭＯ送信方式が単一ユーザ（ＳＵ）かマルチユーザ（ＭＵ）かどうかのインジケーションを提供する１つまたは複数の他のビットを備え、
前記方法は、前記ＭＩＭＯ送信方式が単一ユーザ（ＳＵ）かマルチユーザ（ＭＵ）かどうかの前記インジケーションに基づいて前記ビームフォーミングトレーニングを実行することをさらに備える、Ｃ８６に記載の方法。
[Ｃ８９]  フィードバックリクエストを取得することと、
前記１つまたは複数の他のビットが前記ＭＩＭＯ送信方式はＭＵであると示す場合、前記フィードバックリクエストに応答して前記フレームに関連付けられたフィードバックを出力することと、
さらに備える、Ｃ８８に記載の方法。
[Ｃ９０]  前記第１のインターフェースは、前記ビームフォーミングトレーニングのマルチプルセクタＩＤ（ＭＩＤ）フェーズ中に前記フィードバックリクエストを取得するように構成される、Ｃ８９に記載の方法。
[Ｃ９１]  前記１つまたは複数の他のビットが前記ＭＩＭＯ送信方式はＭＵであると示す場合、時間期間後に前記フレームに関連付けられたフィードバックを出力することをさらに備え、前記時間期間は、マルチユーザ送信シーケンスに基づいて決定される、Ｃ８８に記載の方法。
[Ｃ９２]  前記フレームは、前記ビームフォーミングトレーニングのための残りのセクタの数を示すように構成されたカウンタを備える、Ｃ５８に記載の方法。
[Ｃ９３]  前記フレームは、前記フレームに応答して送られるフィードバックのタイプを示すフィードバックタイプフィールドを備え、
前記カウンタは、前記フィードバックタイプフィールドに含まれる、Ｃ９２に記載の方法。
[Ｃ９４]  前記フレームは、前記ＭＩＭＯ送信方式に関連付けられた無線周波数（ＲＦ）チェーンのインジケーションをさらに備え、
前記方法は、前記ＭＩＭＯ送信方式に関連付けられた前記ＲＦチェーンの前記インジケーションに基づいてビームフォーミングトレーニングを実行することをさらに備える、Ｃ５８に記載の方法。
[Ｃ９５]  前記フレームは、前記ＲＦチェーンの前記インジケーションを含むビーム微調整プロトコル（ＢＲＰ）フィールドを備える、Ｃ９４に記載の方法。
[Ｃ９６]  前記ビームフォーミングトレーニング中に、フレーム間のショートビームフォーミングインターフレームスペース（ＳＢＩＦＳ）にしたがって複数のフレームを取得することをさらに備える、Ｃ５８に記載の方法。
[Ｃ９７]  フレーム間の前記ＳＢＩＦＳは、前記ビームフォーミングトレーニングのマルチプルセクタＩＤ（ＭＩＤ）フェーズ中に使用される、Ｃ９６に記載の方法。
[Ｃ９８]  前記フレームは、ＭＩＤリクエストの受信から独立して生成されるマルチプルセクタＩＤ（ＭＩＤ）許可フィールドを備える、Ｃ５８に記載の方法。
[Ｃ９９]  前記ビームフォーミングトレーニングのＭＩＤフェーズ中に使用される少なくとも１つの第１のセクタのインジケーションを出力することと、
少なくとも１つの第２のセクタを使用して前記ビームフォーミングトレーニングの前記ＭＩＤフェーズを実行することと、をさらに備え、
前記少なくとも１つの第１のセクタのうちのいくつかのセクタは、前記少なくとも１つの第２のセクタのうちのいくつかのセクタと異なる、または、
前記少なくとも１つの第２のセクタは、前記少なくとも１つの第１のセクタ内にない１つまたは複数のセクタを備える、Ｃ５８に記載の方法。
[Ｃ１００]  ワイヤレス通信のための方法であって、
ビームフォーミングトレーニングのマルチプルセクタＩＤキャプチャ（ＭＩＤＣ）フェーズ、前記ビームフォーミングトレーニングのマルチプルセクタＩＤ（ＭＩＤ）フェーズ、前記ビームフォーミングトレーニングのＭＩＤおよびビーム結合（ＢＣ）フェーズ、または前記ビームフォーミングトレーニングのＢＣフェーズのうちの少なくとも１つの間に、セクタスイープ（ＳＳＷ）フレームを取得することと、
前記ＳＳＷフレームを使用して前記ビームフォーミングトレーニングを実行することと、
を備える、方法。
[Ｃ１０１]  前記ＳＳＷフレームは、少なくとも１つのトレーニング（ＴＲＮ）フィールドを備える、Ｃ１００に記載の方法。
[Ｃ１０２]  前記ビームフォーミングトレーニングに関連付けられたフレームを取得することと、前記フレームは多入力多出力（ＭＩＭＯ）送信方式を使用して前記ビームフォーミングトレーニングが実行されるべきかどうかのインジケーションを備え、
前記ＭＩＭＯ送信方式を使用して前記ビームフォーミングトレーニングが実行されるべきかどうかの前記インジケーションに基づいて前記ビームフォーミングトレーニングを実行することと、
をさらに備える、Ｃ１００に記載の方法。
[Ｃ１０３]  前記フレームは、１つまたは複数のビットを備えるフィールドを備え、前記１つまたは複数のビットは、前記ＭＩＭＯ送信方式を使用して前記ビームフォーミングトレーニングが実行されるべきかどうかの前記インジケーションを提供する、Ｃ１０２に記載の方法。
[Ｃ１０４]  前記フィールドは、ビーム微調整リクエストフィールドを備える、Ｃ１０３に記載の方法。
[Ｃ１０５]  前記１つまたは複数のビットはまた、前記ＭＩＭＯ送信方式に使用されるストリームの数を示し、
前記方法は、前記示されたストリームの数に基づいて前記ビームフォーミングトレーニングを実行することをさらに備える、Ｃ１０３に記載の方法。
[Ｃ１０６]  前記フィールドは、前記ＭＩＭＯ送信方式が単一ユーザ（ＳＵ）かマルチユーザ（ＭＵ）かどうかのインジケーションを提供する１つまたは複数の他のビットを備え、
前記方法は、前記ＭＩＭＯ送信方式がＳＵかＭＵかどうかの前記インジケーションに基づいて前記ビームフォーミングトレーニングを実行することをさらに備える、Ｃ１０３に記載の方法。
[Ｃ１０７]  ワイヤレス通信のための方法であって、
ビームフォーミングトレーニングに関連付けられたフレームを取得することと、前記フレームは、少なくとも１つのセクタスイープ（ＳＳＷ）フィールドを備え、前記ＳＳＷフィールドは、前記ビームフォーミングトレーニング中に使用されるＭＩＭＯ送信方式に関連付けられたＲＦチェーンのインジケーションを備え、
前記ＭＩＭＯ送信方式に関連付けられた前記ＲＦチェーンの前記インジケーションに基づいて、前記ビームフォーミングトレーニングを実行することと、
を備える、方法。
[Ｃ１０８]  前記ビームフォーミングトレーニングに関連付けられた別のフレームを取得することと、前記別のフレームは多入力多出力（ＭＩＭＯ）送信方式を使用して前記ビームフォーミングトレーニングが実行されるべきかどうかのインジケーションを備え、
前記ＭＩＭＯ送信方式を使用して前記ビームフォーミングトレーニングが実行されるべきかどうかの前記インジケーションに基づいて前記ビームフォーミングトレーニングを実行することと、
Ｃ１０７に記載の方法。
[Ｃ１０９]  前記別のフレームは、１つまたは複数のビットを備えるフィールドを備え、前記１つまたは複数のビットは、前記ＭＩＭＯ送信方式を使用して前記ビームフォーミングトレーニングが実行されるべきかどうかの前記インジケーションを提供する、Ｃ１０８に記載の方法。
[Ｃ１１０]  前記フィールドは、ビーム微調整リクエストフィールドを備える、Ｃ１０９に記載の方法。
[Ｃ１１１]  前記１つまたは複数のビットはまた、前記ＭＩＭＯ送信方式に使用されるストリームの数を示し、
前記方法は、前記示されたストリームの数に基づいて前記ビームフォーミングトレーニングを実行することをさらに備える、Ｃ１０９に記載の方法。
[Ｃ１１２]  前記フィールドは、前記ＭＩＭＯ送信方式が単一ユーザ（ＳＵ）かマルチユーザ（ＭＵ）かどうかのインジケーションを提供する１つまたは複数の他のビットを備え、
前記方法は、前記ＭＩＭＯ送信方式がＳＵかＭＵかどうかの前記インジケーションに基づいて前記ビームフォーミングトレーニングを実行することをさらに備える、Ｃ１０９に記載の方法。
[Ｃ１１３]  無線通信のための装置であって、
ビームフォーミングトレーニングに関連付けられたフレームを生成するための手段と、前記フレームは多入力多出力（ＭＩＭＯ）送信方式を使用して前記ビームフォーミングトレーニングが実行されるべきかどうかのインジケーションを備え、
送信のために前記フレームを出力するための手段と、
を備える、装置。
[Ｃ１１４]  前記フレームは、１つまたは複数のビットを備えるフィールドを備え、前記１つまたは複数のビットは、前記ＭＩＭＯ送信方式を使用して前記ビームフォーミングトレーニングが実行されるべきどうかの前記インジケーションを提供する、Ｃ１１３に記載の装置。
[Ｃ１１５]  前記フィールドは、ビーム微調整リクエストフィールドを備える、Ｃ１１４に記載の装置。
[Ｃ１１６]  前記１つまたは複数のビットはまた、前記ＭＩＭＯ送信方式に使用されるストリームの数を示す、Ｃ１１４に記載の装置。
[Ｃ１１７]  前記フィールドは、前記ＭＩＭＯ送信方式が単一ユーザ（ＳＵ）かマルチユーザ（ＭＵ）かどうかのインジケーションを提供する１つまたは複数の他のビットを備える、Ｃ１１４に記載の装置。
[Ｃ１１８]  フィードバックリクエストを送信のために出力するための手段と、
前記１つまたは複数の他のビットが前記ＭＩＭＯ送信方式はＭＵであると示す場合、前記フィードバックリクエストに応答して前記フレームに関連付けられたフィードバックを取得するための手段と、
をさらに備える、Ｃ１１７に記載の装置。
[Ｃ１１９]  送信のために前記フィードバックリクエストを出力することは、前記ビームフォーミングトレーニングのマルチプルセクタＩＤ（ＭＩＤ）フェーズ中に実行される、Ｃ１１８に記載の装置。
[Ｃ１２０]  前記フレームは、前記ビームフォーミングトレーニングのための前記装置による使用のための残りのセクタの数を示すように構成されたカウンタを備える、Ｃ１１４に記載の装置。
[Ｃ１２１]  前記フレームは、前記フレームに応答して予期されるフィードバックのタイプを示すフィードバックタイプフィールドを備え、
前記カウンタは、前記フィードバックタイプフィールドに含まれる、Ｃ１２０に記載の装置。
[Ｃ１２２]  前記フレームは、前記ＭＩＭＯ送信方式に関連付けられた無線周波数（ＲＦ）チェーンのインジケーションをさらに備える、Ｃ１１４に記載の装置。
[Ｃ１２３]  前記フレームは、前記ＲＦチェーンの前記インジケーションを含むビーム微調整プロトコル（ＢＲＰ）フィールドを備える、Ｃ１２２に記載の装置。
[Ｃ１２４]  前記ビームフォーミングトレーニング中に、フレーム間のショートビームフォーミングインターフレームスペース（ＳＢＩＦＳ）にしたがって送信のために複数のフレームを生成することをさらに備える、Ｃ１１４に記載の装置。
[Ｃ１２５]  フレーム間の前記ＳＢＩＦＳは、前記ビームフォーミングトレーニングのマルチプルセクタＩＤ（ＭＩＤ）フェーズ中に使用される、Ｃ１２４に記載の装置。
[Ｃ１２６]  前記フレームは、ＭＩＤリクエストの受信から独立して生成されるマルチプルセクタＩＤ（ＭＩＤ）許可フィールドを備える、Ｃ１１４に記載の装置。
[Ｃ１２７]  前記ビームフォーミングトレーニングのＭＩＤフェーズ中に使用される少なくとも１つの第１のセクタのインジケーションを取得するための手段と、
少なくとも１つの第２のセクタを使用して、前記ビームフォーミングトレーニングの前記ＭＩＤフェーズを実行するための手段と、をさらに備え、
前記少なくとも１つの第１のセクタのうちのいくつかのセクタは、前記少なくとも１つの第２のセクタのうちのいくつかのセクタと異なる、または、
前記少なくとも１つの第２のセクタは、前記少なくとも１つの第１のセクタ内にない１つまたは複数のセクタを備える、Ｃ１１４に記載の装置。
[Ｃ１２８]  無線通信のための装置であって、
ビームフォーミングトレーニングのマルチプルセクタＩＤキャプチャ（ＭＩＤＣ）フェーズ、前記ビームフォーミングトレーニングのマルチプルセクタＩＤ（ＭＩＤ）フェーズ、前記ビームフォーミングトレーニングのＭＩＤおよびビーム結合（ＢＣ）フェーズ、または前記ビームフォーミングトレーニングのＢＣフェーズのうちの少なくとも１つの間に、送信のためにセクタスイープ（ＳＳＷ）フレームを生成するための手段と、
前記ＳＳＷフレームを送信のために出力するための手段と、
を備える、装置。
[Ｃ１２９]  前記ＳＳＷフレームは、少なくとも１つのトレーニング（ＴＲＮ）フィールドを備える、Ｃ１２８に記載の装置。
[Ｃ１３０]  前記ビームフォーミングトレーニングに関連付けられたフレームを生成するための手段と、前記フレームは多入力多出力（ＭＩＭＯ）送信方式を使用して前記ビームフォーミングトレーニングが実行されるべきかどうかのインジケーションを備え、
送信のために前記フレームを出力するための手段と、
をさらに備える、Ｃ１２８に記載の装置。
[Ｃ１３１]  前記フレームは、１つまたは複数のビットを備えるフィールドを備え、前記１つまたは複数のビットは、前記ＭＩＭＯ送信方式を使用して前記ビームフォーミングトレーニングが実行されるべきどうかの前記インジケーションを提供する、Ｃ１３０に記載の装置。
[Ｃ１３２]  前記フィールドは、ビーム微調整リクエストフィールドを備える、Ｃ１３１に記載の装置。
[Ｃ１３３]  前記１つまたは複数のビットはまた、前記ＭＩＭＯ送信方式に使用されるストリームの数を示す、Ｃ１３１に記載の装置。
[Ｃ１３４]  前記フィールドは、前記ＭＩＭＯ送信方式が単一ユーザ（ＳＵ）かマルチユーザ（ＭＵ）かどうかのインジケーションを提供する１つまたは複数の他のビットを備える、Ｃ１３１に記載の装置。
[Ｃ１３５]  無線通信のための装置であって、
ビームフォーミングトレーニングに関連付けられたフレームを生成するための手段と、前記フレームは、少なくとも１つのセクタスイープ（ＳＳＷ）フィールドを備え、前記ＳＳＷフィールドは、前記ビームフォーミングトレーニング中に使用されるＭＩＭＯ送信方式に関連付けられたＲＦチェーンのインジケーションを備える、
送信のために前記フレームを出力するための手段と、
を備える、装置。
[Ｃ１３６]  前記ビームフォーミングトレーニングに関連付けられた別のフレームを生成するための手段と、前記別のフレームは多入力多出力（ＭＩＭＯ）送信方式を使用して前記ビームフォーミングトレーニングが実行されるべきかどうかのインジケーションを備え、
送信のために前記別のフレームを出力するための手段と、Ｃ１３５に記載の装置。
[Ｃ１３７]  前記別のフレームは、１つまたは複数のビットを備えるフィールドを備え、前記１つまたは複数のビットは、前記ＭＩＭＯ送信方式を使用して前記ビームフォーミングトレーニングが実行されるべきかどうかの前記インジケーションを提供する、Ｃ１３６に記載の装置。
[Ｃ１３８]  前記フィールドは、ビーム微調整リクエストフィールドを備える、Ｃ１３７に記載の装置。
[Ｃ１３９]  前記１つまたは複数のビットはまた、前記ＭＩＭＯ送信方式に使用されるストリームの数を示す、Ｃ１３７に記載の装置。
[Ｃ１４０]  前記フィールドは、前記ＭＩＭＯ送信方式が単一ユーザ（ＳＵ）かマルチユーザ（ＭＵ）かどうかのインジケーションを提供する１つまたは複数の他のビットを備える、Ｃ１３７に記載の装置。
[Ｃ１４１]  無線通信のための装置であって、
ビームフォーミングトレーニングに関連付けられたフレームを取得するための手段と、前記フレームは多入力多出力（ＭＩＭＯ）送信方式を使用して前記ビームフォーミングトレーニングが実行されるべきかどうかのインジケーションを備え、
前記ＭＩＭＯ送信方式を使用して前記ビームフォーミングトレーニングが実行されるべきかどうかの前記インジケーションに基づいて、前記ビームフォーミングトレーニングを実行するための手段と、
を備える、装置。
[Ｃ１４２]  前記フレームは、１つまたは複数のビットを備えるフィールドを備え、前記１つまたは複数のビットは、前記ＭＩＭＯ送信方式を使用して前記ビームフォーミングトレーニングが実行されるべきどうかの前記インジケーションを提供する、Ｃ１４１に記載の装置。
[Ｃ１４３]  前記１つまたは複数のビットはまた、前記ＭＩＭＯ送信方式に使用されるいくつかのストリームを示し、前記装置は、前記示されたストリームの数に基づいて前記ビームフォーミングトレーニングを実行するための手段をさらに備える、Ｃ１４２に記載の装置。
[Ｃ１４４]  前記フィールドは、前記ＭＩＭＯ送信方式が単一ユーザ（ＳＵ）かマルチユーザ（ＭＵ）かどうかのインジケーションを提供する１つまたは複数の他のビットを備え、
前記装置は、前記ＭＩＭＯ送信方式がＳＵかＭＵかどうかの前記インジケーションに基づいて前記ビームフォーミングトレーニングを実行するための手段をさらに備える、Ｃ１４２に記載の装置。
[Ｃ１４５]  フィードバックリクエストを取得するための手段と、
前記１つまたは複数の他のビットが前記ＭＩＭＯ送信方式はＭＵであると示す場合、前記フィードバックリクエストに応答して前記フレームに関連付けられたフィードバックを出力するための手段と、
をさらに備える、Ｃ１４４に記載の装置。
[Ｃ１４６]  前記第１のインターフェースは、前記ビームフォーミングトレーニングのマルチプルセクタＩＤ（ＭＩＤ）フェーズ中に前記フィードバックリクエストを取得するように構成される、Ｃ１４５に記載の装置。
[Ｃ１４７]  前記１つまたは複数の他のビットが前記ＭＩＭＯ送信方式はＭＵであると示す場合、時間期間後に前記フレームに関連付けられたフィードバックを出力することをさらに備え、前記時間期間は、マルチユーザ送信シーケンスに基づいて決定される、Ｃ１４４に記載の装置。
[Ｃ１４８]  前記フレームは、前記ビームフォーミングトレーニングのための前記装置による使用のための残りのセクタの数を示すように構成されたカウンタを備える、Ｃ１４１に記載の装置。
[Ｃ１４９]  前記フレームは、前記フレームに応答して送られるフィードバックのタイプを示すフィードバックタイプフィールドを備え、
前記カウンタは、前記フィードバックタイプフィールドに含まれる、Ｃ１４８に記載の装置。
[Ｃ１５０]  前記フレームは、前記ＭＩＭＯ送信方式に関連付けられた無線周波数（ＲＦ）チェーンのインジケーションをさらに備え、
前記装置は、前記ＭＩＭＯ送信方式に関連付けられた前記ＲＦチェーンの前記インジケーションに基づいてビームフォーミングトレーニングを実行するための手段をさらに備える、Ｃ１４１に記載の装置。
[Ｃ１５１]  前記フレームは、前記ＲＦチェーンの前記インジケーションを含むビーム微調整プロトコル（ＢＲＰ）フィールドを備える、Ｃ１５０に記載の装置。
[Ｃ１５２]  前記ビームフォーミングトレーニング中に、フレーム間のショートビームフォーミングインターフレームスペース（ＳＢＩＦＳ）にしたがって複数のフレームを取得するための手段をさらに備える、Ｃ１５０に記載の装置。
[Ｃ１５３]  フレーム間の前記ＳＢＩＦＳは、前記ビームフォーミングトレーニングのマルチプルセクタＩＤ（ＭＩＤ）フェーズ中に使用される、Ｃ１５２に記載の装置。
[Ｃ１５４]  前記フレームは、ＭＩＤリクエストの受信から独立して生成されるマルチプルセクタＩＤ（ＭＩＤ）許可フィールドを備える、Ｃ１５０に記載の装置。
[Ｃ１５５]  前記ビームフォーミングトレーニングのＭＩＤフェーズ中に使用される少なくとも１つの第１のセクタのインジケーションを出力するための手段と、
少なくとも１つの第２のセクタを使用して前記ビームフォーミングトレーニングの前記ＭＩＤフェーズを実行するための手段と、をさらに備え、
前記少なくとも１つの第１のセクタのうちのいくつかのセクタは、前記少なくとも１つの第２のセクタのうちのいくつかのセクタと異なる、または、
前記少なくとも１つの第２のセクタは、前記少なくとも１つの第１のセクタ内にない１つまたは複数のセクタを備える、Ｃ１５０に記載の装置。
[Ｃ１５６]  無線通信のための装置であって、
ビームフォーミングトレーニングのマルチプルセクタＩＤキャプチャ（ＭＩＤＣ）フェーズ、前記ビームフォーミングトレーニングのマルチプルセクタＩＤ（ＭＩＤ）フェーズ、前記ビームフォーミングトレーニングのＭＩＤおよびビーム結合（ＢＣ）フェーズ、または前記ビームフォーミングトレーニングのＢＣフェーズのうちの少なくとも１つの間に、セクタスイープ（ＳＳＷ）フレームを取得するための手段と、
前記ＳＳＷフレームを使用して前記ビームフォーミングトレーニングを実行するための手段と、
を備える、装置。
[Ｃ１５７]  前記ＳＳＷフレームは、少なくとも１つのトレーニング（ＴＲＮ）フィールドを備える、Ｃ１５６に記載の装置。
[Ｃ１５８]  前記ビームフォーミングトレーニングに関連付けられたフレームを取得するための手段と、前記フレームは多入力多出力（ＭＩＭＯ）送信方式を使用して前記ビームフォーミングトレーニングが実行されるべきかどうかのインジケーションを備え、
前記ＭＩＭＯ送信方式を使用して前記ビームフォーミングトレーニングが実行されるべきかどうかの前記インジケーションに基づいて前記ビームフォーミングトレーニングを実行するための手段と、
をさらに備える、Ｃ１５６に記載の装置。
[Ｃ１５９]  前記フレームは、１つまたは複数のビットを備えるフィールドを備え、前記１つまたは複数のビットは、前記ＭＩＭＯ送信方式を使用して前記ビームフォーミングトレーニングが実行されるべきどうかの前記インジケーションを提供する、Ｃ１５８に記載の装置。
[Ｃ１６０]  前記フィールドは、ビーム微調整リクエストフィールドを備える、Ｃ１５９に記載の装置。
[Ｃ１６１]  前記１つまたは複数のビットはまた、前記ＭＩＭＯ送信方式に使用されるストリームの数を示し、
前記装置は、前記示されたストリームの数に基づいて前記ビームフォーミングトレーニングを実行するための手段をさらに備える、Ｃ１５９に記載の装置。
[Ｃ１６２]  前記フィールドは、前記ＭＩＭＯ送信方式が単一ユーザ（ＳＵ）かマルチユーザ（ＭＵ）かどうかのインジケーションを提供する１つまたは複数の他のビットを備え、
前記装置は、前記ＭＩＭＯ送信方式がＳＵかＭＵかどうかの前記インジケーションに基づいて前記ビームフォーミングトレーニングを実行するための手段をさらに備える、Ｃ１５９に記載の装置。
[Ｃ１６３]  無線通信のための装置であって、
ビームフォーミングトレーニングに関連付けられたフレームを取得するための手段と、前記フレームは、少なくとも１つのセクタスイープ（ＳＳＷ）フィールドを備え、前記ＳＳＷフィールドは、前記ビームフォーミングトレーニング中に使用されるＭＩＭＯ送信方式に関連付けられたＲＦチェーンのインジケーションを備え、
前記ＭＩＭＯ送信方式に関連付けられた前記ＲＦチェーンの前記インジケーションに基づいて前記ビームフォーミングトレーニングを実行するための手段と、
を備える、装置。
[Ｃ１６４]  前記ビームフォーミングトレーニングに関連付けられた別のフレームを取得するための手段と、前記別のフレームは多入力多出力（ＭＩＭＯ）送信方式を使用して前記ビームフォーミングトレーニングが実行されるべきかどうかのインジケーションを備え、
前記ＭＩＭＯ送信方式を使用して前記ビームフォーミングトレーニングが実行されるべきかどうかの前記インジケーションに基づいて前記ビームフォーミングトレーニングを実行するための手段と、
Ｃ１６３に記載の装置。
[Ｃ１６５]  前記別のフレームは、１つまたは複数のビットを備えるフィールドを備え、前記１つまたは複数のビットは、前記ＭＩＭＯ送信方式を使用して前記ビームフォーミングトレーニングが実行されるべきかどうかの前記インジケーションを提供する、Ｃ１６３に記載の装置。
[Ｃ１６６]  前記フィールドは、ビーム微調整リクエストフィールドを備える、Ｃ１６５に記載の装置。
[Ｃ１６７]  前記１つまたは複数のビットはまた、前記ＭＩＭＯ送信方式に使用されるストリームの数を示し、
前記装置は、前記示されたストリームの数に基づいて前記ビームフォーミングトレーニングを実行するための手段をさらに備える、Ｃ１６５に記載の装置。
[Ｃ１６８]  前記フィールドは、前記ＭＩＭＯ送信方式が単一ユーザ（ＳＵ）かマルチユーザ（ＭＵ）かどうかのインジケーションを提供する１つまたは複数の他のビットを備え、
前記装置は、前記ＭＩＭＯ送信方式がＳＵかＭＵかどうかの前記インジケーションに基づいて前記ビームフォーミングトレーニングを実行するための手段をさらに備える、Ｃ１６５に記載の装置。
[Ｃ１６９]  コンピュータ可読媒体であって、
ビームフォーミングトレーニングに関連付けられたフレームを生成することと、前記フレームは多入力多出力（ＭＩＭＯ）送信方式を使用して前記ビームフォーミングトレーニングが実行されるべきかどうかのインジケーションを備え、
前記フレームを送信のために出力することと、
を行うための命令を記憶したコンピュータ可読媒体。
[Ｃ１７０]  コンピュータ可読媒体であって、
ビームフォーミングトレーニングのマルチプルセクタＩＤキャプチャ（ＭＩＤＣ）フェーズ、前記ビームフォーミングトレーニングのマルチプルセクタＩＤ（ＭＩＤ）フェーズ、前記ビームフォーミングトレーニングのＭＩＤおよびビーム結合（ＢＣ）フェーズ、または前記ビームフォーミングトレーニングのＢＣフェーズのうちの少なくとも１つの間に、送信のためにセクタスイープ（ＳＳＷ）フレームを生成することと、
前記ＳＳＷフレームを送信のために出力することと、
を行うための命令を記憶したコンピュータ可読媒体。
[Ｃ１７１]  コンピュータ可読媒体であって、
ビームフォーミングトレーニングに関連付けられたフレームを生成することと、前記フレームは、少なくとも１つのセクタスイープ（ＳＳＷ）フィールドを備え、前記ＳＳＷフィールドは、前記ビームフォーミングトレーニング中に使用されるＭＩＭＯ送信方式に関連付けられたＲＦチェーンのインジケーションを備え、
送信のために前記フレームを出力することと、
を行うための命令を記憶したコンピュータ可読媒体。
[Ｃ１７２]  コンピュータ可読媒体であって、
ビームフォーミングトレーニングに関連付けられたフレームを取得することと、前記フレームは多入力多出力（ＭＩＭＯ）送信方式を使用して前記ビームフォーミングトレーニングが実行されるべきかどうかのインジケーションを備え、
前記ＭＩＭＯ送信方式を使用して前記ビームフォーミングトレーニングが実行されるべきかどうかの前記インジケーションに基づいて前記ビームフォーミングトレーニングを実行することと、
を行うための命令を記憶したコンピュータ可読媒体。
[Ｃ１７３]  コンピュータ可読媒体であって、
ビームフォーミングトレーニングのマルチプルセクタＩＤキャプチャ（ＭＩＤＣ）フェーズ、前記ビームフォーミングトレーニングのマルチプルセクタＩＤ（ＭＩＤ）フェーズ、前記ビームフォーミングトレーニングのＭＩＤおよびビーム結合（ＢＣ）フェーズ、または前記ビームフォーミングトレーニングのＢＣフェーズのうちの少なくとも１つの間にセクタスイープ（ＳＳＷ）フレームを取得することと、
前記ＳＳＷフレームを使用して前記ビームフォーミングトレーニングを実行することと、
を行うための命令を記憶したコンピュータ可読媒体。
[Ｃ１７４]  コンピュータ可読媒体であって、
ビームフォーミングトレーニングに関連付けられたフレームを取得することと、前記フレームは、少なくとも１つのセクタスイープ（ＳＳＷ）フィールドを備え、前記ＳＳＷフィールドは、前記ビームフォーミングトレーニング中に使用されるＭＩＭＯ送信方式に関連付けられたＲＦチェーンのインジケーションを備え、
前記ＭＩＭＯ送信方式に関連付けられた前記ＲＦチェーンの前記インジケーションに基づいて前記ビームフォーミングトレーニングを実行することと、
を行うための命令を記憶したコンピュータ可読媒体。
[Ｃ１７５]  ワイヤレスノードであって、
少なくとも１つのアンテナと、
処理システムと、を備え、前記処理システムは、
ビームフォーミングトレーニングに関連付けられたフレームを生成することと、前記フレームは多入力多出力（ＭＩＭＯ）送信方式を使用して前記ビームフォーミングトレーニングが実行されるべきかどうかのインジケーションを備え、
前記少なくとも１つのアンテナを介した送信のために前記フレームを出力することと、を行うように構成された、
ワイヤレスノード。
[Ｃ１７６]  ワイヤレスノードであって、
少なくとも１つのアンテナと、
処理システムと、を備え、前記処理システムは、
ビームフォーミングトレーニングのマルチプルセクタＩＤキャプチャ（ＭＩＤＣ）フェーズ、前記ビームフォーミングトレーニングのマルチプルセクタＩＤ（ＭＩＤ）フェーズ、前記ビームフォーミングトレーニングのＭＩＤおよびビーム結合（ＢＣ）フェーズ、または前記ビームフォーミングトレーニングのＢＣフェーズのうちの少なくとも１つの間に、送信のためにセクタスイープ（ＳＳＷ）フレームを生成することと、
前記少なくとも１つのアンテナを介した送信のために前記ＳＳＷフレームを出力することと、
を行うように構成された、
ワイヤレスノード。
[Ｃ１７７]  ワイヤレスノードであって、
少なくとも１つのアンテナと、
処理システムと、を備え、前記処理システムは、
ビームフォーミングトレーニングに関連付けられたフレームを生成することと、前記フレームは、少なくとも１つのセクタスイープ（ＳＳＷ）フィールドを備え、前記ＳＳＷフィールドは、前記ビームフォーミングトレーニング中に使用されるＭＩＭＯ送信方式に関連付けられたＲＦチェーンのインジケーションを備え、
前記少なくとも１つのアンテナを介した送信のために前記フレームを出力することと、
を行うように構成された、
ワイヤレスノード。
[Ｃ１７８]  ワイヤレスノードであって、
少なくとも１つのアンテナと、
処理システムと、を備え、前記処理システムは、
前記少なくとも１つのアンテナを介して、ビームフォーミングトレーニングに関連付けられたフレームを取得することと、前記フレームは多入力多出力（ＭＩＭＯ）送信方式を使用して前記ビームフォーミングトレーニングが実行されるべきかどうかのインジケーションを備え、
前記ＭＩＭＯ送信方式を使用して前記ビームフォーミングトレーニングが実行されるかどうかの前記インジケーションに基づいて前記ビームフォーミングトレーニングを実行することと、
を行うように構成された、
ワイヤレスノード。
[Ｃ１７９]  ワイヤレスノードであって、
少なくとも１つのアンテナと、
処理システムと、を備え、前記処理システムは、
前記少なくとも１つのアンテナを介して、ビームフォーミングトレーニングのマルチプルセクタＩＤキャプチャ（ＭＩＤＣ）フェーズ、前記ビームフォーミングトレーニングのマルチプルセクタＩＤ（ＭＩＤ）フェーズ、前記ビームフォーミングトレーニングのＭＩＤおよびビーム結合（ＢＣ）フェーズ、または前記ビームフォーミングトレーニングのＢＣフェーズのうちの少なくとも１つの間に、セクタスイープ（ＳＳＷ）フレームを取得することと、
前記ＳＳＷフレームを使用して前記ビームフォーミングトレーニングを実行することと、
を行うように構成された、
ワイヤレスノード。
[Ｃ１８０]  ワイヤレスノードであって、
少なくとも１つのアンテナと、
処理システムと、を備え、前記処理システムは、
前記少なくとも１つのアンテナを介して、ビームフォーミングトレーニングに関連付けられたフレームを取得することと、前記フレームは、少なくとも１つのセクタスイープ（ＳＳＷ）フィールドを備え、前記ＳＳＷフィールドは、前記ビームフォーミングトレーニング中に使用されるＭＩＭＯ送信方式に関連付けられたＲＦチェーンのインジケーションを備え、
前記ＭＩＭＯ送信方式に関連付けられた前記ＲＦチェーンの前記インジケーションに基づいて前記ビームフォーミングトレーニングを実行することと、
を行うように構成された、
ワイヤレスノード。